(57)【要約】【課題】設置面に埋め込んで設置しても容易に取り外しが可能な蛍光ランプとその着脱方法を提供する。【解決手段】蛍光ランプ１は、本体２から設置部に向けて出没可能な突出部６と、突出部６を設置部に向けて付勢するスプリング７と、を有する。係止部８ｂは、スプリング７の付勢力に抗して本体２に引き込まれた突出部６を係止する。操作部８ａを押すことにより、係止部８ｂによる突出部６の係止が解除される。突出部６が本体２から突出して設置部に当接すると、スプリング７の付勢力は蛍光ランプ１を設置部から押し離すように作用する。【選択図】図１
2010238650.tif 000002
【特許請求の範囲】
【請求項１】
設置部に設けられたソケットに口金を介して接合される蛍光ランプであって、
前記口金を有し、前記ソケットに接合される本体と、
前記本体に設けられた蛍光発光管と、
前記本体に設けられ、前記口金と前記蛍光発光管に接続され、前記蛍光発光管を点灯する点灯回路と、
前記本体に設けられ、前記設置部に向けて出没可能に配置された突出部と、
前記突出部を前記設置部に向けて付勢する付勢手段と、を備えることを特徴とする蛍光ランプ。
【請求項２】
前記付勢手段の付勢力に抗して、前記突出部を前記本体に引き込まれた位置に係止する係止部と、
前記係止部による前記突出部の係止を解除する操作部と、を更に備えることを特徴とする請求項１に記載の蛍光ランプ。
【請求項３】
前記係止部と前記操作部とは、一体に成型されていることを特徴とする請求項２に記載の蛍光ランプ。
【請求項４】
前記本体は、前記蛍光発光管を覆う透光性のグローブを備えることを特徴とする請求項１乃至３の何れか１項に記載の蛍光ランプ。
【請求項５】
前記操作部は前記グローブに形成された開口部に配置され、前記グローブと前記操作部とは略面一な外観面を構成することを特徴とする請求項４に記載の蛍光ランプ。
【請求項６】
前記口金は、ＪＩＳ（日本工業規格）Ｃ７７０９−１に規定のＧＸ５３口金であることを特徴とする請求項１乃至５の何れか１項に記載の蛍光ランプ。
【請求項７】
前記設置部は、前記ソケットに前記口金を接合した状態で、前記蛍光ランプが収容された状態となるように、壁面にくぼみ状に形成されている、ことを特徴とする請求項１乃至６の何れか１項に記載の蛍光ランプ。
【請求項８】
設置部に設けられたソケットに、前記設置部に向けて出没可能に配置された突出部と前記突出部を前記設置部に向けて付勢する付勢手段とが収容された蛍光ランプの口金を接合する工程と、
前記ソケットから前記蛍光ランプを取り外す際に、前記付勢手段により前記突出部を前記設置部に向けて突出させ、前記蛍光ランプを押し出す工程と、
を備えることを特徴とする蛍光ランプの着脱方法。
【発明の詳細な説明】
【技術分野】
【０００１】
本発明は、着脱が容易な蛍光ランプとその着脱方法に関する。
【背景技術】
【０００２】
特許文献１には、ＧＸ５３口金を備える蛍光ランプを薄型とする技術が開示されている。ＧＸ５３口金を採用したインバータ内蔵型の蛍光ランプは、口金の構造上、薄型デザインを特徴とするものが多い。このような薄型の蛍光ランプは、照明器具又は設置面からの突出部分を小さくすることができるという利点を有する。また、埋め込み型の照明器具を用いれば、蛍光ランプと照明器具とに、設置面と面一な外観面を持たせることも容易となる。
【先行技術文献】
【特許文献】
【０００３】
【特許文献１】特開２００７−１５７３６８号公報
【発明の概要】
【発明が解決しようとする課題】
【０００４】
上述のように、ＧＸ５３口金を備える蛍光ランプは、照明器具のデザインを多様化するために有効である。しかし、蛍光ランプを照明器具又は設置面に対して埋め込む設置条件では、蛍光ランプを掴むための露出部がないためにその取り外し作業が容易ではない。そのため、専用のランプ取り外し工具が必要となり、使用者の利便性が悪いという課題がある。
【０００５】
以上のような課題に鑑み、本発明は、設置面に埋め込んで設置しても容易に取り外しが可能な蛍光ランプとその着脱方法を提供することを目的とする。
【課題を解決するための手段】
【０００６】
上記目的を達成するため、本発明による蛍光ランプは、
設置部に設けられたソケットに口金を介して接合される蛍光ランプであって、
前記口金を有し、前記ソケットに接合される本体と、
前記本体に設けられた蛍光発光管と、
前記本体に設けられ、前記口金と前記蛍光発光管に接続され、前記蛍光発光管を点灯する点灯回路と、
前記本体に設けられ、前記設置部に向けて出没可能に配置された突出部と、
前記突出部を前記設置部に向けて付勢する付勢手段と、
を備えることを特徴とする。
【０００７】
また、本発明による蛍光ランプの着脱方法は、
設置部に設けられたソケットに、前記設置部に向けて出没可能に配置された突出部と前記突出部を前記設置部に向けて付勢する付勢手段とが収容された蛍光ランプの口金を接合する工程と、
前記ソケットから前記蛍光ランプを取り外す際に、前記付勢手段により前記突出部を前記設置部に向けて突出させ、前記蛍光ランプを押し出す工程と、
を備えることを特徴とする。
【発明の効果】
【０００８】
本発明による蛍光ランプは、蛍光ランプを設置面から押し出す突出部を有することにより、設置面に埋め込んで設置しても容易に取り外すことができる。
【図面の簡単な説明】
【０００９】
【図１】本発明の実施形態に係る蛍光ランプを示す概略図である。（ａ）は上面図、（ｂ）は（ａ）のＡ−Ａ線断面図である。
【図２】（ａ）〜（ｃ）は、本発明の実施形態に係る蛍光ランプの動作を漸次的に示す概略断面図である。
【図３】本発明の実施形態に係る蛍光ランプ及び照明器具を示す概略断面図である。
【図４】本発明の実施形態に係る蛍光ランプを照明器具に装着する様子を示す概略図である。（ａ）は上面図、（ｂ）は（ａ）のＢ−Ｂ線断面図である。
【図５】本発明の実施形態に係る蛍光ランプを照明器具から取り外す様子を示す概略断面図である。
【発明を実施するための形態】
【００１０】
以下に、本発明を実施するための好ましい形態について図面を用いて説明する。
【００１１】
本実施形態に係る蛍光ランプ１は、図１に示すように円盤状の外観面を有し、本体２と、蛍光部３と、口金４と、グローブ５と、一対の突出部６と、一対のスプリング７と、一対の離脱釦８と、から構成されている。ここで、図１（ｂ）は片側断面図であるため、突出部６とスプリング７とは一つずつしか示されていないが、これらは図１（ａ）に示す一対の離脱釦８と同様に、蛍光ランプ１の中心に対して点対称となるように、一対ずつ設けられている。
【００１２】
本体２は、底面に口金４を備え、上面に蛍光部３を備える。また、本体２には、一対の軸受け部２ｂが、一対の突出部６とスプリング７と離脱釦８とに対応する位置に形成されている。
【００１３】
口金４は、ＪＩＳ（日本工業規格）Ｃ７７０９−１に規定のＧＸ５３口金が採用されている。口金４を対応するソケットに連結することで、蛍光ランプ１は電源に接続され、かつ機械的に固定される。
【００１４】
蛍光部３は、本体２に設けられた図示しない点灯装置を介して、口金４に電気的に接続されている。
【００１５】
グローブ５は透光性を備え、蛍光部３を覆って本体２に固定されている。グローブ５には、本体２に形成された一対の軸受け部２ｂに対応する位置に、一対の開口部５ｂが形成されている。
【００１６】
一対の突出部６は、それぞれ平板部６ａと軸棒６ｂとから構成されている。一対の軸棒６ｂは本体２に形成された一対の軸受け部２ｂに挿入され、本体２から出没するように摺動する。突出部６の平板部６ａが本体２の軸受け部２ｂの端部と当接するため、突出部６は本体２から抜けることはない。
【００１７】
一対の離脱釦８は、それぞれ、平板状の操作部８ａと、操作部８ａから略直角に延びる鉤爪状の係止部８ｂとから構成され、略Ｌ字型の断面形状を有している。一対の離脱釦８は、その略Ｌ字型の断面の角部において、グローブ５に一対のヒンジ軸９を介して軸支されている。一対の操作部８ａはグローブ５に形成された一対の開口部５ｂを塞ぐように配置され、グローブ５と略面一な外観面を構成する。また、図示は省略するが、操作部８ａはグローブ５の外面から突出しないように、グローブ５の開口部５ｂの周縁部に抜け止め係合されている。係止部８ｂは、突出部６が本体に引き込んだときに、突出部６の平板部６ａと係合するように配置されている。
【００１８】
一対のスプリング７は、一対の突出部６の平板部６ａと、一対の離脱釦８の操作部８ａとの間に配置され、一対の突出部６を本体２から突出するように付勢している。
【００１９】
以下に、蛍光ランプ１の各構成の動作を、図２を参照して説明する。
【００２０】
図２（ａ）に示すように、突出部６がスプリング７に抗して本体２に引き込まれた初期状態では、離脱釦８の係止部８ｂが突出部６の平板部６ａと係合して、突出部６を係止する。次に、図２（ｂ）に示すように、離脱釦８の操作部８ａが押されると、ヒンジ軸９によってグローブ５に軸支された離脱釦８が傾き、突出部６の平板部６ａと離脱釦８との係合が解除される。そして、図２（ｃ）に示すように突出部６はスプリング７の付勢力によって本体２から突出する。
【００２１】
図２（ｃ）に示す状態から突出部６が本体２に押し込まれると、図２（ｂ）に示すように突出部６の平板部６ａは離脱釦８の係止部８ｂに当接して離脱釦８を傾かせ、続いて図２（ａ）に示すように離脱釦８の係止部８ｂが突出部６の平板部６ａと係合して突出部６を係止する。
【００２２】
次に、図３〜図５を参照して、蛍光ランプ１を照明器具１０に埋め込んで設置する形態を説明する。
【００２３】
照明器具１０は、設置面１２と、設置面１２から円柱状に窪んだ空間を形成する収容部１３と、収容部１３の底面に設けられたソケット１１とから構成されている。
【００２４】
照明器具１０は、蛍光ランプ１を収容部１３に収容したときに、蛍光ランプ１のグローブ５と設置面１２とが略面一な外観面を形成するように設計されている。すなわち、収容部１３の内径は蛍光ランプ１の外径とほぼ等しく、また、収容部１３の深さは蛍光ランプ１の厚さとほぼ等しくなるように形成されている。従って、蛍光ランプ１を収容部１３に収容した際には、蛍光ランプ１と収容部１３との間に大きな隙間を生じず、また蛍光ランプ１のグローブ５と設置面１２とに大きな段差を生じない。また、照明器具１０のソケット１１はＧＸ５３受金であり、蛍光ランプ１の口金４に対応する。
【００２５】
次に、蛍光ランプ１を照明器具１０に取り付ける方法を説明する。
【００２６】
始めに、蛍光ランプ１を照明器具１０の収容部１３に挿入する。蛍光ランプ１の口金４が照明器具１０に設けられたソケット１１に挿入されると、図４（ａ），（ｂ）に示すように、蛍光ランプ１は収容部１３に完全に収容されて埋め込まれた状態となる。次に、蛍光ランプ１を時計回りに回転させ、蛍光ランプ１の口金４と照明器具１０のソケット１１とを接合させる。このとき、蛍光ランプ１は設置面１２から突出した部分がなく、収容部１３との隙間もほとんどないが、グローブ５に形成された凹部５ｃを押さえることにより、蛍光ランプ１を容易に回転させることができる。以上により、蛍光ランプ１の取り付けは完了する。
【００２７】
次に、蛍光ランプ１を照明器具１０から取り外す方法を説明する。
【００２８】
始めに、蛍光ランプ１を反時計回りに回転させ、蛍光ランプ１の口金４と照明器具１０のソケット１１との接合を解除する。これにより、蛍光ランプ１は機械的な固定から解放される。しかし、この状態では、図４（ａ），（ｂ）に示したように、蛍光ランプ１は照明器具１０に埋め込まれているので、設置面１２から突出した部分が無く、収容部１３との隙間もほとんど無い。従って、特に照明器具１０が壁面又は床面に設けられている場合には、蛍光ランプ１を収容部１３から取り出すことができない。そこで、蛍光ランプ１の離脱釦８を押して、本体２から突起部６を突出させる。すると、図５に示すように、突起部６が照明器具１０に当接し、結果としてスプリング７の付勢力は蛍光ランプ１を設置面１２から押し出す。その後、設置面１２から突出した蛍光ランプ１の側面を掴んで照明器具１０から引き出せば、蛍光ランプ１の取り外しは完了する。
【００２９】
以上説明したように、本実施形態に係る蛍光ランプ１は、離脱釦８を押すことにより本体２から突出する突出部６を備える。この突出部６は、スプリング７と協働し、蛍光ランプ１を設置面１２から押し出すように作用する。従って、蛍光ランプ１は、設置面に埋め込んで設置した場合でも、容易に取り外すことができる。
【００３０】
また、蛍光ランプ１は、突出部６を本体２に引き込んだ位置に係止する係止部８ｂと、その係止を解除する操作部８ａとを備える。突出部６が引き込んだ状態に保持することにより、着脱時に突出部６や照明器具１０の損傷を防止することができる。
【００３１】
さらに、係止部８ｂと操作部８ａを一体に成型した離脱釦８を採用することにより、部品点数を低減し、製造コストを削減することができる。
【００３２】
そして、操作部８ａは、本体２を覆うグローブ５と略面一な外観面を構成するため、美観を損なわない。
【００３３】
また、蛍光ランプ１は、口金４としてＧＸ５３を採用したため、より薄型かつ多様なデザインを有する照明器具に適用することができる。
【００３４】
なお、本発明は上述の実施形態に限定されるものではなく、特許請求の範囲に記載した範囲で種々の変形をしたものも、本発明の技術的範囲に含まれる。
【００３５】
例えば、実施形態では突出部は軸棒から構成されていたが、その形状は任意であり例えば板状であっても良い。
【００３６】
また、実施形態では、一対の突出部を蛍光ランプの中心に対して点対称に配置したが、その数及び配置は適宜変更することができる。
【００３７】
さらに、突出部を付勢する付勢手段は圧縮コイルばねであったが、引張コイルばねであっても良く、あるいは他の弾性体であっても良い。
【００３８】
また、実施形態では、突出部と係止部との係合は操作部を押すことで解除されたが、例えば操作部をスライドさせ、又は回転させる等の操作により解除されるように構成しても良い。
【００３９】
蛍光ランプの口金はＧＸ５３口金であることが望ましいが、本発明はそれに限らず、設置面に埋め込まれて設置される種々の蛍光ランプに応用できる。
【００４０】
その他の各構成要素の材質、形状、配置、数量等についても、適宜変更可能であることは、言うまでもない。
【産業上の利用可能性】
【００４１】
本発明による蛍光ランプは、設置面に埋め込んで設置した場合でも、容易に取り外すことができる。これは、特にＧＸ５３口金及びソケットを用いた薄型の蛍光ランプ及び照明器具を採用する場合に有利であり、照明器具のデザイン性とメンテナンス性との向上に貢献するものである。
【符号の説明】
【００４２】
１  蛍光ランプ
２  本体
２ｂ  軸受け部
３  蛍光部
４  口金
５  グローブ
５ｂ  開口部
５ｃ  凹部
６  突出部
６ａ  平板部
６ｂ  軸棒
７  スプリング
８  離脱釦
８ａ  操作部
８ｂ  係止部
９  ヒンジ軸
１０  照明器具
１１  ソケット
１２  設置面
１３  収容部
【図１】
2010238650.tif 000003
【図２】
2010238650.tif 000004
【図３】
2010238650.tif 000005
【図４】
2010238650.tif 000006
【図５】
2010238650.tif 000007